【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
複数のコイルを用いて被検体からの磁気共鳴信号を収集するデータ収集手段と、
特定の空間部位における磁気共鳴信号の発生を抑制する信号抑制手段と、
前記特定の空間部位における前記磁気共鳴信号の抑制情報を用いて前記データ収集手段により収集された前記磁気共鳴信号から画像データを生成する画像データ生成手段と、
を有することを特徴とする磁気共鳴イメージング装置。
【請求項２】
前記信号抑制手段は、プレサチュレーションパルスを印加することによって前記特定の空間部位における前記磁気共鳴信号の発生を抑制するように構成されることを特徴とする請求項１記載の磁気共鳴イメージング装置。
【請求項３】
前記信号抑制手段は、励起させるスライスおよびリフォーカスさせるスライスを交差させることによって前記特定の空間部位における前記磁気共鳴信号の発生を抑制するように構成されることを特徴とする請求項１記載の磁気共鳴イメージング装置。
【請求項４】
前記信号抑制手段は、前記画像データの生成に必要とされる撮像視野の端部を前記特定の空間部位として前記特定の空間部位における前記磁気共鳴信号の発生を抑制するように構成されることを特徴とする請求項１記載の磁気共鳴イメージング装置。
【請求項５】
前記データ収集手段による前記磁気共鳴信号の収集に先立って前記特定の空間部位を推定する推定手段をさらに備えることを特徴とする請求項４記載の磁気共鳴イメージング装置。
【請求項６】
前記画像データ生成手段は、前記データ収集手段により収集された前記磁気共鳴信号の画像再構成処理によって生成され、折返しを有する折返し画像データに対してエンコード方向の位置に応じて互いに異なる折返し除去処理を行うことによって前記画像データを生成するように構成されることを特徴とする請求項１記載の磁気共鳴イメージング装置。
【請求項７】
前記画像データ生成手段は、前記画像データの生成に必要とされる撮像視野の端部側の領域における折返し画像データと前記撮像視野の端部から離れた側の領域における折返し画像データに対してそれぞれ前記互いに異なる折返し除去処理を行うように構成されることを特徴とする請求項６記載の磁気共鳴イメージング装置。
【請求項８】
前記画像データ生成手段は、前記互いに異なる折返し除去処理として感度マトリクスの係数を変えた逆変換処理を伴うアンフォールド処理を行うように構成されることを特徴とする請求項６記載の磁気共鳴イメージング装置。
【請求項９】
前記画像データ生成手段は、前記互いに異なる折返し除去処理として感度マトリクスを用いた逆変換処理を伴うアンフォールド処理および前記アンフォールド処理とは別の処理を行うように構成されることを特徴とする請求項６記載の磁気共鳴イメージング装置。
【請求項１０】
被検体からの磁気共鳴信号を収集するデータ収集手段と、
前記データ収集手段により収集された前記磁気共鳴信号から画像データを生成する画像データ生成手段と、
撮影条件に基づいて前記画像データ上において折返しアーチファクトの原因となる磁気共鳴信号が発生し得る領域を折返し注意領域として計算し、得られた前記折返し注意領域を表示装置に表示させる領域表示手段と、
を有することを特徴とする磁気共鳴イメージング装置。
【請求項１１】
前記領域表示手段は、設定された撮像視野に対して拡大した撮像視野に対して折返し除去処理を行う折返し防止機能のパラメータである拡大率を含む撮影条件に基づいて前記折返し注意領域を計算するように構成されることを特徴とする請求項１０記載の磁気共鳴イメージング装置。
【請求項１２】
前記データ収集手段は、複数のコイルを用いたParallel Imagingによって前記磁気共鳴信号を収集するように構成される一方、
前記領域表示手段は、前記Parallel Imagingのパラメータである高速化率を含む撮影条件に基づいて前記折返し注意領域を計算するように構成される、
ことを特徴とする請求項１０記載の磁気共鳴イメージング装置。
【請求項１３】
前記データ収集手段は、複数のコイルを用いたParallel Imagingによって前記磁気共鳴信号を収集するように構成される一方、
前記領域表示手段は、前記画像データ生成手段によって生成された折返しを有する折返し画像データのアンフォールド処理の対象となる領域をアンフォールド領域として計算し、前記アンフォールド領域を表示装置に表示させるように構成される、
ことを特徴とする請求項１０記載の磁気共鳴イメージング装置。
【請求項１４】
前記データ収集手段は、複数のコイルを用いたParallel Imagingによって前記磁気共鳴信号を収集するように構成される一方、
前記領域表示手段は、前記画像データ生成手段によって生成された折返しを有する折返し画像データのアンフォールド処理の対象となる領域の境界を計算し、前記境界を表示装置に表示させるように構成される、
ことを特徴とする請求項１０記載の磁気共鳴イメージング装置。
【請求項１５】
前記領域表示手段は、複数の折返し注意領域からのそれぞれの磁気共鳴信号による折返しアーチファクトの各出現領域を、前記複数の折返し注意領域との対応関係が識別できるように表示装置に表示させるように構成されることを特徴とする請求項１０記載の磁気共鳴イメージング装置。
【請求項１６】
前記領域表示手段は、前記折返し注意領域からの磁気共鳴信号による折返しアーチファクトの出現領域を、前記折返しアーチファクトの方向が視認できるように表示装置に表示させるように構成されることを特徴とする請求項１０記載の磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、被検体の原子核スピンをラーモア周波数の高周波（ＲＦ: radio frequency）信号で磁気的に励起し、この励起に伴って発生する磁気共鳴（ＭＲ：magnetic resonance）信号から画像を再構成する磁気共鳴イメージング装置に係り、特に、複数の表面コイルを備えたＲＦコイルを用いてＭＲ信号を収集する磁気共鳴イメージング装置に関する。
【手続補正４】
【補正対象書類名】明細書
【補正対象項目名】００４０
【補正方法】変更
【補正の内容】
【００４０】
本発明はかかる従来の事情に対処するためになされたものであり、Parallel Imagingにおいて、折り返しアーチファクトの出現を抑制することによって、より信頼性の高い臨床診断用の画像を提供することが可能な磁気共鳴イメージング装置を提供することを目的とする。
【手続補正５】
【補正対象書類名】明細書
【補正対象項目名】００４１
【補正方法】変更
【補正の内容】
【００４１】
また、本発明の別の目的は、位相エンコード方向の設定FOV端に対象が存在する場合や要素コイル数が少ない場合であっても適切な空間分解能を維持しつつ折り返しアーチファクトのない良好な画像をParallel Imagingによって取得することが可能な磁気共鳴イメージング装置を提供することである。
【手続補正６】
【補正対象書類名】明細書
【補正対象項目名】００４２
【補正方法】変更
【補正の内容】
【００４２】
さらに、本発明の他の目的は、折り返しアーチファクトの位置を撮影前に容易の把握することによって、折り返しアーチファクトの出現を防止することが可能な磁気共鳴イメージング装置を提供することである。
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】削除
【補正の内容】
【手続補正９】
【補正対象書類名】明細書
【補正対象項目名】００４７
【補正方法】変更
【補正の内容】
【００４７】
本発明に係る磁気共鳴イメージング装置においては、Parallel Imagingにおいて、折り返しアーチファクトの出現を抑制することによって、より信頼性の高い臨床診断用の画像を提供することができる。
【手続補正１０】
【補正対象書類名】明細書
【補正対象項目名】００４８
【補正方法】変更
【補正の内容】
【００４８】
また、本発明に係る磁気共鳴イメージング装置においては、位相エンコード方向の設定FOV端に対象が存在する場合や要素コイル数が少ない場合であっても適切な空間分解能を維持しつつ折り返しアーチファクトのない良好な画像をParallel Imagingによって取得することができる。
【手続補正１１】
【補正対象書類名】明細書
【補正対象項目名】００４９
【補正方法】変更
【補正の内容】
【００４９】
また、本発明に係る磁気共鳴イメージング装置においては、折り返しアーチファクトの位置を撮影前に容易の把握することによって、折り返しアーチファクトの出現を防止することができる。
【手続補正１２】
【補正対象書類名】明細書
【補正対象項目名】００５０
【補正方法】変更
【補正の内容】
【００５０】
本発明に係る磁気共鳴イメージング装置の実施の形態について添付図面を参照して説明する。